【事件の表示】
　特願２００１−５１５６１４「テレビ信号の受信機における改良」拒絶査定不服審判事件〔平成１３年　２月１５日国際公開、ＷＯ０１／１１８６５、平成１５年　２月１８日国内公表、特表２００３−５０６９７０〕について、次のとおり審決する。
【結　論】
　本件審判の請求は、成り立たない。
【理　由】
第一　経緯
１．手続
　本願は、平成１２年８月９日（パリ条約による優先権主張外国庁受理１９９９年８月９日、英国、及び、２０００年１月２０日、英国）の出願であって、平成１９年８月８日付けで手続補正がなされた後、平成２０年１２月１０日付けで拒絶理由が通知され、これに対して平成２１年３月１３日付けで手続補正がなされたが、平成２１年４月１０日付けで拒絶査定がなされ、これに対し、平成２１年９月１８日付けで拒絶査定に対する審判請求がなされたものである。
   　
２．査定
　原査定の理由は、概略、以下のとおりである。
   　
　補正後の各請求項にかかる発明は、下記の引用文献及び周知技術から容易に発明をすることができたものであるから、特許法第２９条第２項の規定により特許を受けることができない。
  　
　　　　　　　　　　　　　　記
１．特開平７−３０８３９号公報
２．特開平１１−１９６３７４号公報（拒絶査定時に周知例として引用）
３．特開平８−２７９９７６号公報（拒絶査定時に周知例として引用）
   　
第二　本願発明
　本願の請求項１から７までに係る各発明は、本願明細書及び図面（平成２１年３月１３日付けの手続補正書により補正された明細書及び図面）の記載からみて、それぞれ、その特許請求の範囲の請求項１から７までに記載した事項により特定されるとおりのものであるところ、そのうち、請求項５に係る発明（以下、「本願発明」という。）は次のとおりのものである。
    　
「複数のチャンネルでテレビ番組を表わす信号を受信するための受信機であって、
　第１のチャンネルで第１のテレビ番組を表わす信号を受信するための第１のチューナと、
　第２のチャンネルで第２のテレビ番組を表わす信号を同時に受信するための第２のチューナと、
　前記第１のチューナおよび前記第２のチューナによって受信される前記第１および第２のチャンネルの信号を表わすデータを記録し、同時に以前に記録された第３のテレビ番組を再生するように構成されるレコーダとを含み、前記第３のテレビ番組は、前記第１および第２のテレビ番組とは独立して前記レコーダから再生用に選択可能である、受信機。」
    　
第三　当審の判断
１．刊行物
１−１．引用刊行物の記載
　原査定の拒絶理由で引用された特開平７−３０８３９号公報（以下、「刊行物１」という。）には、図面とともに、次に掲げる事項が記載されている。
    　
（１）「【産業上の利用分野】本発明は、多方式の信号が多チャネル入力され、それらの内、希望するチャネルの内容をビデオテープや光ディスク等の記録媒体上に記録する記録再生装置に係わり、特に、視聴者の希望に応じて複数チャネルを同時に記録し、またそれらを再生することが可能な記録再生装置に関する。」（０００１段落）
      　
（２）「【従来の技術】近年、地上放送、衛星放送、ＣＡＴＶ放送等の拡充により、放送の多チャネル化が進むと共に、ビデオテープや光ディスク等いわゆるパッケージメディアにより供給されるプログラムも増大している。これに伴い、従来のビデオテープレコーダ等の記録再生装置では、衛星放送受信用チューナを内蔵する事や、２本のビデオテープを内部に納め長時間録画やプログラム毎に録画するテープを切り換える機能等が付加されている。」（０００２段落）
    　
（３）「【発明が解決しようとする課題】しかしながら、上記従来技術では、視聴者が記録を希望する複数のプログラムが同時刻帯に放送される場合や、視聴者が限られた時間の中で効率的にプログラムの内容を把握したい場合等に対応することが考慮されていない。即ち、複数のプログラムを同時に記録し、あるいは再生することが考慮されていない。例えば、地上ＴＶ放送及びＣＡＴＶ放送受信用チューナと、衛星放送受信用チューナを内蔵している場合、その両者から出力される信号を同時に記録すること及び記録された２つの信号を同時に再生することは考慮されていない。さらに、地上ＴＶ放送あるいはＣＡＴＶ放送のプログラムをテレビジョン受像機等に表示させながら同時に衛星放送のプログラムを記録する事、あるいは逆に衛星放送のプログラムをテレビジョン受像機等に表示させながら同時に地上放送のプログラムを記録する事は可能であるが、地上ＴＶ放送あるいはＣＡＴＶ放送のプログラムをテレビジョン受像機等に表示させながら同時に地上ＴＶ放送あるいはＣＡＴＶ放送のプログラムを記録する事、あるいは逆に衛星放送のプログラムをテレビジョン受像機等に表示させながら同時に衛星放送のプログラムを記録する事、並びに、地上ＴＶ放送あるいはＣＡＴＶ放送のプログラムを複数同時に記録する事、または衛星放送のプログラムを複数同時に記録する事は考慮されていない。」（０００３段落）
    　
（４）「また、あるプログラムの再生と他のプログラムの記録を同時に行うことも考慮されていない。」（０００４段落）
    　
（５）「本発明の目的は、多様な放送を受信可能で、かつ視聴者の希望に応じて複数チャネルを同時に記録し、またそれらを再生可能な記録再生装置を提供することにある。」（０００５段落）
      　
（６）「【課題を解決するための手段】上記した目的を達成するため、本発明では、ＴＶ信号及びＣＡＴＶ信号帯域からＢＳ信号帯域まで可変連続同調が可能で選局回路をＢＳ信号受信時とＴＶ信号受信時とＣＡＴＶ信号受信時とで共用するＢＳ・ＴＶ・ＣＡＴＶ共用チューナを、少なくとも２つ以上備え、ビデオテープや光ディスク等記録媒体の装着、走行等を行う機構系と、記録再生部を各々、少なくとも２つ以上設けた。」（０００６段落）
   　
（７）「また、他の手段として、上記ＢＳ・ＴＶ・ＣＡＴＶ共用チューナを、少なくとも２つ以上備え、上記機構系を１つと、記録再生部を各々、少なくとも２つ以上設けた。」（０００７段落）
   　
（８）「【作用】本発明では、上記構成により、多様な放送を受信可能で、かつ視聴者の希望に応じて複数チャネルを同時に記録し、またそれらを再生すること、及び記録と再生を同時に行うことも可能な多チャネル記録装置を提供できる。即ち、地上ＴＶ放送あるいはＣＡＴＶ放送のプログラムをテレビジョン受像機等に表示させながら同時に地上ＴＶ放送あるいはＣＡＴＶ放送のプログラムを記録する事、または逆に衛星放送のプログラムをテレビジョン受像機等に表示させながら同時に衛星放送のプログラムを記録する事、並びに、地上ＴＶ放送あるいはＣＡＴＶ放送のプログラムを複数同時に記録する事、または衛星放送のプログラムを複数同時に記録する事が可能となる。」（０００８段落）
     　
（９）「図１は、本発明の第１の実施例を示す記録装置のブロック図である。」（００１０段落）
    　
（１０）「同図において、１は地上ＴＶ放送受信用アンテナ及びＣＡＴＶ信号入力端子、２は衛星放送受信用アンテナ、３は信号入力端子、４は選局用チューナ及び復調回路から成る受信部、５は信号選択部、６、７は記録媒体に信号を記録させる記録部、８、９は記録媒体の装着、走行等を制御する機構系、１０、１１は記録媒体から信号を再生する再生部、１２は画面選択、分割等を行う出力制御部、１３は信号出力端子、１４は選局、再生の制御部、１５はキーボード、リモートコントロール等の入力部である。」（００１１段落）
    　
（１１）「まず２つのプログラムを同時に記録する場合について説明する。受信部４には地上ＴＶ放送受信用アンテナ及びＣＡＴＶ信号入力端子１からの信号と、衛星放送受信用アンテナ２で受信され、アンテナに付属したダウンコンバータにより１ＧＨｚ帯に周波数変換されたいわゆる衛星放送の第１中間周波信号（ＢＳ−ＩＦ信号）が入力され、視聴者の希望に応じて入力部１５から入力された選局情報により制御部１４から出力される制御信号に応じて２つのプログラムが選択出力される。また選択部５ではこれらの信号に加え、信号入力端子３から入力される他のビデオ信号及び音声信号の内から視聴者の希望に応じて入力部１５から入力された選局情報により制御部１４から出力される制御信号に応じて２つのプログラムが選択出力される。その各々を記録部６、７に入力し、機構系８、９で装着され、走行する２つの記録媒体に各々の記録部で記録させていく。次に２つのプログラムを同時に再生する場合について説明する。機構系８、９で装着され、走行する２つの記録媒体から各々の再生部で信号を再生し、出力制御部１２へ入力する。ここでは視聴者の希望に応じて入力部１５から入力された出力情報により制御部１４から出力される制御信号に応じて画像、音声信号を出力する。例えば、２つの画面を同時に表示するいわゆるピクチャー・イン・ピクチャー状に、２画面を１画面に構成して出力することや、どちらか一方の画面のみ選択して出力すること等を行う。」（００１２段落）
    　
（１２）「さらに、記録と再生を同時に行う場合について説明する。選択部５で、視聴者の希望に応じて入力部１５から入力された選局情報により制御部１４から出力される制御信号に応じて、入力信号の内所望の１プログラムを選択する。選択された信号は例えば記録部６に入力し、機構系８で装着され、走行する記録媒体に記録部で記録させていく。一方同時に機構系９で装着され、走行する記録媒体から再生部１１で信号を再生し、出力制御部１２へ入力し、視聴者の希望に応じて入力部１５から入力された出力情報により制御部１４から出力される制御信号に応じて画像、音声信号を出力する。」（００１３段落）
    　
（１３）「以上説明したように、本実施例の記録装置は、地上ＴＶ放送、ＣＡＴＶ放送及び衛星放送を受信可能で、かつ視聴者の希望に応じて複数チャネルを同時に記録し、またそれらを再生すること、及び記録と再生を同時に行うことも可能となる。」（００１４段落）
    　
（１４）「図２は、本発明の第１の実施例の受信部を示すブロック図である。同図において、図１と同様の動作を行う部分には、図１と同一の番号を付し説明を略す。同図において、４０、４１はＢＳ・ＴＶ・ＣＡＴＶ共用チューナ、４２、４６、４８は地上ＴＶ信号及びＣＡＴＶ信号入力端子、４３、４７、４９はＢＳ−ＩＦ信号入力端子、５１、５３は衛星放送復調信号出力端子、５０、５２はＴＶ信号復調信号出力端子、５８、５９は選局信号入力端子、６０は地上ＴＶ信号、ＣＡＴＶ信号用の入力同調フィルタ、増幅回路、段間同調フィルタから成るＲＦ信号処理回路、６１はＢＳ−ＩＦ信号用の入力同調フィルタ、増幅回路、段間同調フィルタから成るＲＦ信号処理回路、６２はＲＦ信号切換回路、６３は周波数変換回路、６４は局部発振回路、６５はＰＬＬ（位相同期ループ）を用いた周波数シンセサイザ、６６は地上ＴＶ信号、ＣＡＴＶ信号の中間周波信号用の帯域選択及び増幅を行う中間周波信号処理回路、６７は衛星放送の第２中間周波信号用の帯域選択及び増幅を行う中間周波信号処理回路、６８は地上ＴＶ信号、ＣＡＴＶ信号の中間周波信号を復調する復調回路、６９は衛星放送の第２中間周波信号を復調する復調回路である。」（００１５段落）
     　
（１５）「地上ＴＶ放送受信用アンテナ及びＣＡＴＶ信号入力端子１からの信号、及び衛星放送受信用アンテナ２で受信され、１ＧＨｚ帯に周波数変換されたＢＳ−ＩＦ信号がそれぞれ入力端子４２、４３から入力され、２分配されてＢＳ・ＴＶ・ＣＡＴＶ共用チューナ４０、４１のそれぞれの入力端子４６、４８及び４７、４９に入力する。ここでＢＳ・ＴＶ・ＣＡＴＶ共用チューナについて説明する。ＢＳ・ＴＶ・ＣＡＴＶ共用チューナ４０、４１は地上ＴＶ信号及びＣＡＴＶ信号帯域からＢＳ信号帯域まで可変連続同調が可能となる様、広帯域周波数変換回路６３、局部発振回路６４及び選局用周波数シンセサイザ回路６５をＢＳ信号受信時とＴＶ信号受信時とＣＡＴＶ信号受信時とで共用し、回路の簡略化を図ったチューナである。地上ＴＶ信号、ＣＡＴＶ信号（国内では、約９０〜７７０ＭＨｚ）の中から希望するチャネルを受信する場合は入力端子４６から入力した信号から希望チャネルをＲＦ信号処理回路６０で、選局信号入力端子５８に入力された選局信号に応じてＰＬＬ周波数シンセサイザ６５から出力される同調電圧により選択的に通過させると共に所望の信号レベルに増幅あるいは減衰させ、切換回路６２を経て周波数変換回路６３に入力する。周波数変換回路６３では上記同調電圧に応じて発振周波数を変化できる局部発振回路６４からの局部発振信号により、中間周波数（国内の場合、５８ＭＨｚ帯）に変換し出力する。この中間周波信号は中間周波信号処理回路６６でさらに帯域選択され、所望の信号レベルまで増幅された後、復調回路６８で映像及び音声信号に復調され、出力端子５０、４４を経て出力される。一方、衛星放送（国内のＢＳ−ＩＦ信号は約１０３０〜１３３０ＭＨｚ）の中から希望するチャネルを受信する場合は、同様に入力端子４７から入力した信号から希望チャネルをＲＦ信号処理回路６１で、選択的に通過させると共に所望の信号レベルに増幅あるいは減衰させ、切換回路６２を経て周波数変換回路６３に入力し、局部発振回路６４からの局部発振信号により、中間周波数（国内の場合、４００ＭＨｚ帯）に変換し出力する。この中間周波信号は中間周波信号処理回路６７でさらに帯域選択され、所望の信号レベルまで増幅された後、復調回路６９で映像及び音声信号に復調され、出力端子５１、４４を経て出力される。」（００１６段落）
   　
（１６）「上記構成の受信部４を用いることにより、上記第１の実施例で述べた効果に加え、地上ＴＶ放送あるいはＣＡＴＶ放送のプログラムをテレビジョン受像機等に表示させながら同時に地上ＴＶ放送あるいはＣＡＴＶ放送のプログラムを記録する事、または逆に衛星放送のプログラムをテレビジョン受像機等に表示させながら同時に衛星放送のプログラムを記録する事、並びに、地上ＴＶ放送あるいはＣＡＴＶ放送のプログラムを複数同時に記録する事、または衛星放送のプログラムを複数同時に記録する事が可能となる。」（００１７段落）
　
１−２．刊行物１に記載された発明
（ア）「記録再生装置」について
　刊行物１の
（１）「本発明は、多方式の信号が多チャネル入力され、それらの内、希望するチャネルの内容をビデオテープや光ディスク等の記録媒体上に記録する記録再生装置に係わり、特に、視聴者の希望に応じて複数チャネルを同時に記録し、またそれらを再生することが可能な記録再生装置」
（２）「近年、地上放送、衛星放送、ＣＡＴＶ放送等の拡充により、放送の多チャネル化が進む」
　の記載からみて、刊行物１の「多チャンネル」は、「地上放送、衛星放送、ＣＡＴＶ放送」といったテレビ放送のチャンネルが複数あることを意味すると認めることができるから、刊行物１には「複数のテレビ放送のチャンネルのうち、希望するチャネルの内容を記録媒体上に記録する記録再生装置」に係る発明が記載されているといえる。
　そして、（６）の「本発明では、ＴＶ信号及びＣＡＴＶ信号帯域からＢＳ信号帯域まで可変連続同調が可能で選局回路をＢＳ信号受信時とＴＶ信号受信時とＣＡＴＶ信号受信時とで共用するＢＳ・ＴＶ・ＣＡＴＶ共用チューナを、少なくとも２つ以上備え」、
（８）の「多様な放送を受信可能で、かつ視聴者の希望に応じて複数チャネルを同時に記録・・・可能な多チャネル記録装置を提供できる。」の記載からみて、
　刊行物１の記録再生装置は、「ＢＳ・ＴＶ・ＣＡＴＶ共用チューナを、少なくとも２つ以上備え、複数のテレビ放送のチャンネルから、希望する複数チャネルの内容を同時に記録媒体上に記録する記録再生装置」であるということができる。
　以上まとめると、刊行物１には、「ＢＳ・ＴＶ・ＣＡＴＶ共用チューナを、少なくとも２つ以上備え、複数のテレビ放送のチャンネルから、希望する複数チャネルの内容を同時に記録媒体上に記録する記録再生装置」に係る発明が記載されているということができる。
　
（イ）「ＢＳ・ＴＶ・ＣＡＴＶ共用チューナ４０」について
　（１５）の記載によれば、刊行物１の記録再生装置は「地上ＴＶ信号、ＣＡＴＶ信号の中から希望するチャネルを受信するＢＳ・ＴＶ・ＣＡＴＶ共用チューナ４０」を有している。
　
（ウ）「ＢＳ・ＴＶ・ＣＡＴＶ共用チューナ４１」について
　（１５）の記載によれば、刊行物１の記録再生装置は「地上ＴＶ信号、ＣＡＴＶ信号の中から希望するチャネルを受信するＢＳ・ＴＶ・ＣＡＴＶ共用チューナ４１」を有している。
　そして、（１１）の記載によれば、「ＢＳ・ＴＶ・ＣＡＴＶ共用チューナ４０」、「ＢＳ・ＴＶ・ＣＡＴＶ共用チューナ４１」を有する受信部４から「（視聴者の希望に応じて入力部１５から入力された選局情報により制御部１４から出力される制御信号に応じて）２つのプログラムが選択出力される。」とあるから、「ＢＳ・ＴＶ・ＣＡＴＶ共用チューナ４０」と「ＢＳ・ＴＶ・ＣＡＴＶ共用チューナ４１」とは、互いに独立して２つのプログラムを同時に受信をしていることが明らかである。したがって、刊行物１の記録再生装置は「地上ＴＶ信号、ＣＡＴＶ信号の中から希望するチャネルを同時に受信するＢＳ・ＴＶ・ＣＡＴＶ共用チューナ４１」を有している。
　
（エ）「記録部および機構系」について
　刊行物１の記録再生装置は（１１）の記載によれば（「ＢＳ・ＴＶ・ＣＡＴＶ共用チューナ４０」、「ＢＳ・ＴＶ・ＣＡＴＶ共用チューナ４１」を有する）受信部４からの２つのプログラムの各々を記録部６、７に入力し、機構系８、９で装着され、走行する２つの記録媒体に各々の記録部で記録させていくことが可能な構成である。
　
（オ）「再生部および機構系」について
　刊行物１の記録再生装置は（１１）の記載によれば「次に２つのプログラムを同時に再生する場合・・・機構系８、９で装着され、走行する２つの記録媒体から各々の再生部で信号を再生し、出力制御部１２へ入力する」ことにより、画像、音声信号を出力している。
　すなわち、「記録媒体に記録されたプログラムを再生可能である」といえる。
　
（カ）「記録部、機構系、再生部」について
　上記（エ）、（オ）で検討したように、記録部（６、７）で機構系（８、９）に装着された記録媒体にプログラムを記録し、再生部（１０、１１）で機構系（８、９）に装着された記録媒体から信号を再生するのであるから、上記「記録部」、「機構系」、「再生部」の一連の構成を総称して、記録再生部と呼んでもよいことは明らかである。
　なお、以下では、上記記録再生部のうち、「記録部６、機構系８、再生部１０」の一連の構成を記録再生部Ａと呼び、「記録部７、機構系９、再生部１１」の一連の構成を記録再生部Ｂと呼ぶことがある。
　
（キ）「記録されるプログラムと再生するプログラムとの関係」について
　刊行物１に記載された、記録再生部において、記録再生部Ａ、または記録再生部Ｂはそれぞれ、機構系が一つしか無く、（１２）には「さらに、記録と再生を同時に行う場合について説明する。選択部５で、視聴者の希望に応じて入力部１５から入力された選局情報により制御部１４から出力される制御信号に応じて、入力信号の内所望の１プログラムを選択する。選択された信号は例えば記録部６に入力し、機構系８で装着され、走行する記録媒体に記録部で記録させていく。一方同時に機構系９で装着され、走行する記録媒体から再生部１１で信号を再生し、出力制御部１２へ入力し、視聴者の希望に応じて入力部１５から入力された出力情報により制御部１４から出力される制御信号に応じて画像、音声信号を出力する。」とあるから、刊行物１に記載された記録再生装置は、一方の記録再生部（例えば、記録再生部Ａ）のみで記録と再生が同時に行われるのではなく、一方の記録再生部（例えば、記録再生部Ａ）で記録が行われているとき、これと独立して動作する他方の記録再生部（記録再生部Ｂ）が再生を行うことにより、記録と再生を同時に実現しているということができる。
　したがって、（１１）に記載された「まず２つのプログラムを同時に記録する場合について説明する。受信部４には地上ＴＶ放送受信用アンテナ及びＣＡＴＶ信号入力端子１からの信号と、衛星放送受信用アンテナ２で受信され、アンテナに付属したダウンコンバータにより１ＧＨｚ帯に周波数変換されたいわゆる衛星放送の第１中間周波信号（ＢＳ−ＩＦ信号）が入力され、視聴者の希望に応じて入力部１５から入力された選局情報により制御部１４から出力される制御信号に応じて２つのプログラムが選択出力される。また選択部５ではこれらの信号に加え、信号入力端子３から入力される他のビデオ信号及び音声信号の内から視聴者の希望に応じて入力部１５から入力された選局情報により制御部１４から出力される制御信号に応じて２つのプログラムが選択出力される。その各々を記録部６、７に入力し、機構系８、９で装着され、走行する２つの記録媒体に各々の記録部で記録させていく。」と記載された実施例では、２つのプログラムが同時に記録されているが、このときは、記録再生部Ａおよび記録再生部Ｂが同時に記録動作を行っており、記録再生部はこれ以上の動作を行うことができないから、再生を行うことができない状態であると認めることができる。
　すなわち、２つのプログラムを記録すると同時に再生も行うことは、刊行物１には記載されていないというべきである。
　また、上記のとおり、記録再生部Ａおよび記録再生部Ｂのそれぞれは、記録を行っているときは記録のみが可能で、再生を行っているときは再生のみが可能であると認めることができるから、「記録再生部ＡまたはＢが再生を行っているプログラムは、（再生を行っているとき）受信部４から記録再生部に入力されるプログラムとは関係のない（すなわち独立した）プログラムである」ことは明らかである。
　
（ク）まとめ
　上記（ア）ないし（キ）によると刊行物１に記載された発明（以下「刊行物１発明」という）として、以下のとおりのものを認定することができる。
　
ＢＳ・ＴＶ・ＣＡＴＶ共用チューナを、少なくとも２つ以上備え、複数のテレビ放送のチャンネルから、希望する複数チャネルの内容を同時に記録媒体上に記録する記録再生装置であって、
地上ＴＶ信号、ＣＡＴＶ信号の中から希望するチャネルを受信するＢＳ・ＴＶ・ＣＡＴＶ共用チューナ４０と、
地上ＴＶ信号、ＣＡＴＶ信号の中から希望するチャネルを同時に受信するＢＳ・ＴＶ・ＣＡＴＶ共用チューナ４１と、
（「ＢＳ・ＴＶ・ＣＡＴＶ共用チューナ４０」、「ＢＳ・ＴＶ・ＣＡＴＶ共用チューナ４１」を有する）受信部４からの２つのプログラムの各々を記録部６、７に入力し、機構系８、９で装着され、走行する２つの記録媒体に各々の記録部で記録させ、
記録媒体に記録されたプログラムを再生可能である、
記録再生部を有し、
再生を行っているプログラムは、（再生を行っているとき）受信部４から記録再生部に入力されるプログラムとは関係のない（すなわち独立した）プログラムである、
記録再生装置。
　
２．対比
　本願発明と刊行物１発明とを対比する。
　
（ア）「複数のチャンネルでテレビ番組を表わす信号を受信するための受信機であって」について
　刊行物１発明は「ＢＳ・ＴＶ・ＣＡＴＶ共用チューナを、少なくとも２つ以上備え、複数のテレビ放送のチャンネルから、希望する複数チャネルの内容を同時に記録媒体上に記録する記録再生装置」である。
　刊行物１発明の記録再生装置が、テレビ放送のチャンネルの内容を記録するためには、当該チャンネルを受信する必要があることが当たり前のことであり、記録再生装置は、受信機でもあるといえる。
　また、「テレビ放送のチャネルの内容」とは「テレビで放送される番組の内容」という意味であり、「テレビで放送される番組の内容」を記録するとは、「テレビで放送される番組の内容」を表す信号を記録することであるといえる。
　そして、「複数チャンネルの内容を同時に記録する」とは「複数チャンネルのテレビで放送される番組の内容を表す信号を同時に記録する」ことであるといえ、記録される「複数チャンネルのテレビで放送される番組の内容を表す信号」の受信が行われていることも明らかである。
　したがって、刊行物１発明の「記録再生装置」は、「複数チャンネルのテレビで放送される番組の内容を表す信号を受信し」ているということができ、「複数のチャンネルでテレビ（で放送される）番組（の内容）を表す信号を受信する受信機」であるということができるから、この点で本願発明と相違がない。
　
（イ）「第１のチャンネルで第１のテレビ番組を表わす信号を受信するための第１のチューナと」について
　刊行物１発明は「地上ＴＶ信号、ＣＡＴＶ信号の中から希望するチャネルを受信するＢＳ・ＴＶ・ＣＡＴＶ共用チューナ４０」を有しており、上記チューナ４０は、あるチャンネルでテレビ番組を表す信号を受信していることは普通の構成である。
　上記チューナ４０を第１のチューナと呼び、当該チューナが受信する番組を第１の番組と呼び、第１の番組が放送されるチャンネルを第１のチャンネルと呼んでもよいことは明らかである。
　したがって、刊行物１発明は「第１のチャンネルで第１のテレビ番組を表わす信号を受信するための第１のチューナ」を有しているといえる。
　
（ウ）「第２のチャンネルで第２のテレビ番組を表わす信号を同時に受信するための第２のチューナと」について
　刊行物１発明は「地上ＴＶ信号、ＣＡＴＶ信号の中から希望するチャネルを同時に受信するＢＳ・ＴＶ・ＣＡＴＶ共用チューナ４１」を有している。
　刊行物１発明の上記チューナ４１は、上記（イ）で検討した、チューナ４０とは異なるものであり、これらが独立して２つのプログラムを受信していることは、上記「１．１−２．（ウ）」で検討したとおりであるから、チューナ４１が受信するチャンネルおよび番組は、第１のチューナであるチューナ４０が受信するチャンネルおよび番組とは異なるといえる。
　そして、チューナ４１は第１のチューナであるチューナ４０とは異なり、また、チューナ４１が受信するチャンネルおよび番組は、第１のチューナであるチューナ４０が受信するチャンネルおよび番組とは異なるという意味において、チューナ４１を第２のチューナと呼び、チューナ４１が受信するチャンネルおよび番組を、それぞれ、第２のチャンネルおよび第２の番組と呼んでもよいことは明らかであるから、刊行物１発明は「第２のチャンネルで第２のテレビ番組を表わす信号を同時に受信するための第２のチューナ」を有しているということができる。
　
（エ）「前記第１のチューナおよび前記第２のチューナによって受信される前記第１および第２のチャンネルの信号を表わすデータを記録し、同時に以前に記録された第３のテレビ番組を再生するように構成されるレコーダとを含み」について
（エ−１）「前記第１のチューナおよび前記第２のチューナによって受信される前記第１および第２のチャンネルの信号を表わすデータを記録し」について
　刊行物１発明は「（「ＢＳ・ＴＶ・ＣＡＴＶ共用チューナ４０」、「ＢＳ・ＴＶ・ＣＡＴＶ共用チューナ４１」を有する）受信部４からの２つのプログラムの各々を記録部６、７に入力し、機構系８、９で装着され、走行する２つの記録媒体に各々の記録部で記録させ」る構成を有している。
　上記（イ）、（ウ）で検討したように、チューナ４０、チューナ４１は、それぞれ、第１のチューナ、第２のチューナといえるから、記録媒体に記録される２つのプログラムは、第１のチューナおよび第２のチューナによって受信された第１のチャンネルおよび第２のチャンネルのプログラムである。
　上記「プログラムを（記録部で）記録」とは、番組を表す信号を何らかのデータとして記録することであるということができるから、番組を表す信号のデータを記録するということができる。
　以上のことから、刊行物１発明は「前記第１のチューナおよび前記第２のチューナによって受信される前記第１および第２のチャンネルの信号を表わすデータを記録し」の構成を有しているということができる。
　
（エ−２）「以前に記録された第３のテレビ番組を再生するように構成されるレコーダとを含み」について
　刊行物１発明は「記録媒体に記録されたプログラムを再生可能である」構成を有している。
　「記録媒体に記録されたプログラム」とは、記録媒体に記録されているプログラムのことであり、また、「１．１−２．（キ）」にあるとおり、刊行物１発明の一つの記録再生部（ＡまたはＢ）は、それのみで記録と再生が同時に行われる構成ではないから、再生されるプログラムは、再生されるときには、既に（すなわち以前に）記録が行われているものであることは明らかである。
　さらに、前記「１．１−２．（キ）」にて検討したとおり、記録されるプログラム信号と再生するプログラム信号とは、関係のないプログラム信号であるから、前記（イ）、（ウ）、（エ−１）にて定義した、記録に係るテレビ番組が、第１のテレビ番組および第２のテレビ番組であれば、再生にかかるテレビ番組は、上記第１および第２のテレビ番組と異なるものであることは明らかであるから、第３のテレビ番組ということができる。
　したがって、刊行物１発明は「以前に記録された、第３のテレビ番組を再生する記録再生部を有し」ているということができ、上記記録再生部をレコーダと称してもよいことは明らかであるから、刊行物１発明は「以前に記録された第３のテレビ番組を再生するように構成されるレコーダ」とを含んでいる点で、本願発明と相違がない。
　
（エ−３）「前記第１のチューナおよび前記第２のチューナによって受信される前記第１および第２のチャンネルの信号を表わすデータを記録し、
同時に
　上記本願発明の「同時に」とは
「前記第１のチューナおよび前記第２のチューナによって受信される前記第１および第２のチャンネルの信号を表わすデータを記録」と、
「以前に記録された第３のテレビ番組を再生」と
が同時という意味であると認めることができる。
　すなわち、二つの記録と再生とが（三つの動作が）同時という意味であるといえる。
　これに対して、刊行物１発明の記録再生装置は、上記「１．１−２．（キ）」にて検討したとおり「２つのプログラムを記録すると同時に再生も行うことは、刊行物１には記載されていないというべきである。」から、本願発明がいう「（三つの動作が）同時」という技術事項を開示しているということができない。
　
（エ−４）まとめ（（エ−１）ないし（エ−３））
　以上（エ−１）ないし（エ−３）の検討事項をまとめると、
　本願発明と刊行物１発明とは「前記第１のチューナおよび前記第２のチューナによって受信される前記第１および第２のチャンネルの信号を表わすデータを記録し、以前に記録された第３のテレビ番組を再生するように構成されるレコーダとを含」む点で一致し、
　本願発明は「（前記第１のチューナおよび前記第２のチューナによって受信される前記第１および第２のチャンネルの信号を表わすデータを記録し、）
同時に
　
（オ）「前記第３のテレビ番組は、前記第１および第２のテレビ番組とは独立して前記レコーダから再生用に選択可能である」について
　刊行物１発明の再生を行っているプログラムは、第３のテレビ番組と呼べることは、上記（エ−２）で検討したとおりであり、刊行物１発明は「再生を行っているプログラムは、（再生を行っているとき）受信部４から記録再生部に入力されるプログラムとは関係のない（すなわち独立した）プログラムである」から、「第３のテレビ番組は、前記第１および第２のテレビ番組とは独立して前記レコーダから再生用に選択可能である」ということができる。
　
（カ）「受信機」について
　刊行物１発明の「記録再生装置」は、記録再生部を有するとともに、受信部も有しているから、受信機ともいうことができることは明らかである。
　したがって、刊行物１発明は「受信機」である点で、本願発明と相違がない。
　
３．一致点、相違点
　本願発明と刊行物１発明との以上の対比によれば、本願発明と刊行物１発明とは、以下の一致点で一致し、相違点で相違する。
　
［一致点］
「複数のチャンネルでテレビ番組を表わす信号を受信するための受信機であって、
　第１のチャンネルで第１のテレビ番組を表わす信号を受信するための第１のチューナと、
　第２のチャンネルで第２のテレビ番組を表わす信号を同時に受信するための第２のチューナと、
　前記第１のチューナおよび前記第２のチューナによって受信される前記第１および第２のチャンネルの信号を表わすデータを記録し、
　以前に記録された第３のテレビ番組を再生するように構成されるレコーダとを含み、
　前記第３のテレビ番組は、前記第１および第２のテレビ番組とは独立して前記レコーダから再生用に選択可能である、受信機。」
　
［相違点］
　本願発明は「（前記第１のチューナおよび前記第２のチューナによって受信される前記第１および第２のチャンネルの信号を表わすデータを記録し、）
同時に
　
４．判断
　上記相違点について検討する。
　
　上記相違点である、「本願発明は「（前記第１のチューナおよび前記第２のチューナによって受信される前記第１および第２のチャンネルの信号を表わすデータを記録し、）
同時に
　この相違点は、上記「１．１−２．（キ）」で検討した、記録再生部Ａおよび記録再生部Ｂが、それぞれ単独では記録と再生を同時に行うことができない構成であるため、記録再生部Ａおよび記録再生部Ｂがともに記録動作を行えば、再生を行うことができないという制約があるため生じていることは、当業者であれば、すぐに理解できることである。
　一方、刊行物１には（４）「あるプログラムの再生と他のプログラムの記録を同時に行うことも考慮されていない。」、（８）「記録と再生を同時に行うことも可能な多チャネル記録装置を提供できる」の記載があるとおり、記録と再生を同時に行いたいことも記載されており、特に、一方の記録再生部（例えば、記録再生部Ａ）を記録動作させ、他方（例えば、記録再生部Ｂ）を再生動作させれば、記録と再生が同時に実現可能であることが開示（上記（１２）段落００１３）されている。
　このように、記録再生装置において、複数の番組の記録を同時に行うことや、あるプログラムの記録と他のプログラムの再生とを同時に行うことを実現しようとしたとき、上記複数の番組の同時記録および、番組の同時記録再生をなるべく制約が無いように行えるように試みることは、当業者であれば普通に行い得たことである。
　また、刊行物１には「希望するチャネルの内容をビデオテープや光ディスク等の記録媒体上に記録する記録再生装置」（（１）の記載）、「ビデオテープや光ディスク等記録媒体の装着、走行等を行う機構系」（（６）の記載）とあるように、記録媒体がディスクであってもよいことも記載されている。
　そして、ディスク状の記録媒体を用いた記録再生装置においては「記録部、記録媒体、再生部」がそれぞれ一つであっても、ある映像信号の記録と他の映像信号の再生とが独立して同時に可能である記録再生部の構成とすることができることは、下記の周知文献に記載されるとおり、本願出願前周知の技術事項であり、刊行物１発明に触れた当業者であれば、刊行物１発明の記録再生部Ａおよび記録再生部Ｂに上記周知の構成を採用することにより、２つの番組の記録と２つの番組の再生とが同時に可能とすることは、容易に予測し得たことである。
　したがって、刊行物１発明をみた当業者が、その記録再生部に、本願出願前周知の記録と再生が同時に可能である記録再生部を採用し、複数（二つの）番組の記録と再生とを自由に組み合わせて実現可能とすることにより、上記相違点の構成とすることは、容易になし得たことであるといえる。
　
＜周知例１＞
　特開平１１−１９６３７４号公報
　特に段落００１３、００１４等参照
　
＜周知例２＞
　特開平８−２７９９７６号公報
　特に段落００２７ないし段落００４２参照
　
５．効果等
　以上のように、上記相違点は、当業者が容易に想到し得たものと認められ、本願発明全体としてみても格別のものはなく、その作用効果も、上記構成の採用に伴って当然に予測される程度のものにすぎず、格別顕著なものがあるとは認められない。
　
６．まとめ
 したがって、本願発明は、刊行物１に記載された発明及び周知技術に基づいて当業者が容易に発明をすることができたものである。
　
７．「本願発明」の他の解釈について
　本願発明の「チャンネル」は、特許請求の範囲の記載からみて、テレビ番組を受信するためにチューナーが同調するチャンネル、すなわち、放送局から送信されるテレビ放送の周波数という意味であると認めて、刊行物１に記載された発明と対比した。
　しかしながら、請求人は、
　平成２１年３月１３日付け意見書では、
　「３つの独立したバッファを用いることにより、レコーダがどのようにして３つの異なるデータチャンネルを取り扱うのかについては、たとえば明細書の第００４３段落から第００５１段落に開示されています。特に、３つの独立したバッファを備えたレコーダの作用効果については、たとえば明細書の第００４８段落および第００５０段落から第００５１段落に記載されています。」と主張し、
　また、平成２１年１１月６日付け補正書（審判請求書の補正）では、
　「このように、独立形式の請求項５に係る本願発明もまた、３つの異なりかつ独立したテレビ番組を同時に扱うために第１および第２のチューナとは別に所定のレコーダが設けられています。その結果、引用文献１および例示された２つの文献と異なり、３つ以上のデータチャンネルを独立かつ非常に高いデータ速度で扱うことができます。」と主張している。
　そこで、以下では、本願発明の「チャンネル」が、「データチャンネル」（すなわち、ハードディスクに信号が入出力される経路）であると仮定して、刊行物１発明と対比する。
　また、データチャンネルであることを明確にするため、以下で対比する本願発明のことを「本願発明（データチャンネル）」、本願発明の「チャンネル」をのことを「（データ）チャンネル」と表記することがある。
　なお、当該データチャンネルの概念については、発明の詳細な説明の段落００４５、段落００４７等にてサポートされている。
　
７−１．刊行物１に記載された発明
（ア）受信について
　刊行物１の（１）には、「特に、視聴者の希望に応じて複数チャネルを同時に記録し、またそれらを再生することが可能な記録再生装置に関する。」とあるから、刊行物１に記載された発明は記録再生装置に関する発明である。
　上記（１１）には「まず２つのプログラムを同時に記録する場合について説明する。
受信部４には地上ＴＶ放送受信用アンテナ及びＣＡＴＶ信号入力端子１からの信号
が入力され
２つのプログラムが選択出力される
　（１５）には「地上ＴＶ放送受信用アンテナ及びＣＡＴＶ信号入力端子１からの信号、及び衛星放送受信用アンテナ２で受信され、１ＧＨｚ帯に周波数変換されたＢＳ−ＩＦ信号がそれぞれ入力端子４２、４３から入力され、２分配されてＢＳ・ＴＶ・ＣＡＴＶ共用チューナ４０、４１のそれぞれの入力端子４６、４８及び４７、４９に入力する。・・・地上ＴＶ信号、ＣＡＴＶ信号（国内では、約９０〜７７０ＭＨｚ）の中から希望するチャネルを受信する場合は入力端子４６から入力した信号から・・・復調回路６８で映像及び音声信号に復調され、出力端子５０、４４を経て出力される。一方、衛星放送（国内のＢＳ−ＩＦ信号は約１０３０〜１３３０ＭＨｚ）の中から希望するチャネルを受信する場合は、同様に入力端子４７から入力した信号から・・・復調回路６９で映像及び音声信号に復調され、出力端子５１、４４を経て出力される。」
と記載されており、
　上記（１１）および（１５）の記載を参酌しつつ、図２をみると、「地上ＴＶ放送受信用アンテナ及びＣＡＴＶ信号入力端子１」からの線は、４２（入力端子）の先で２つに分けられ、一方は点線（４０：ＢＳ・ＴＶ・ＣＡＴＶ共用チューナ）で囲まれた四角の４６（入力端子）に、他方は点線（４１：ＢＳ・ＴＶ・ＣＡＴＶ共用チューナ）で囲まれた四角の４８（入力端子）に接続されている。
　上記４６、４８、に接続された線は、それぞれ、四角４０、４１内を通過し、５０（出力端子）、５２（出力端子）を通過し、４４（出力端子）、４５（出力端子）に向かうことが理解できる。
　以下において、入力端子４２から入力された信号が２つに分けられた後の、「入力端子４６から、ＢＳ・ＴＶ・ＣＡＴＶ共用チューナ４０、出力端子４４に至る」一連の構成を受信部Ａと呼び、同様に「入力端子４８から、ＢＳ・ＴＶ・ＣＡＴＶ共用チューナ４１、出力端子４５に至る」一連の構成を受信部Ｂと呼ぶこととする。
　これらの刊行物１の記載からみて、刊行物１には、「地上ＴＶ放送受信用アンテナ及びＣＡＴＶ信号入力端子からの信号を、ＢＳ・ＴＶ・ＣＡＴＶ共用チューナ４０およびＢＳ・ＴＶ・ＣＡＴＶ共用チューナ４１のそれぞれで映像及び音声信号に復調し、上記それぞれ復調した信号を、ＢＳ・ＴＶ・ＣＡＴＶ共用チューナ４０に接続された出力端子（４４）、およびＢＳ・ＴＶ・ＣＡＴＶ共用チューナ４１に接続された出力端子（４５）から出力することにより、２つのプログラムが選択出力される受信部４を有する記録再生装置」に係る発明が開示されている。
　
（イ）受信部Ａについて
　上記（ア）で検討した受信部Ａは「受信ＢＳ・ＴＶ・ＣＡＴＶ共用チューナ４０」を有していることは、（ア）で検討したとおりである。
　さらに、（１５）には「ここでＢＳ・ＴＶ・ＣＡＴＶ共用チューナについて説明する。ＢＳ・ＴＶ・ＣＡＴＶ共用チューナ４０、４１は地上ＴＶ信号及びＣＡＴＶ信号帯域からＢＳ信号帯域まで可変連続同調が可能となる様、広帯域周波数変換回路６３、局部発振回路６４及び選局用周波数シンセサイザ回路６５をＢＳ信号受信時とＴＶ信号受信時とＣＡＴＶ信号受信時とで共用し、回路の簡略化を図ったチューナである。地上ＴＶ信号、ＣＡＴＶ信号（国内では、約９０〜７７０ＭＨｚ）の中から希望するチャネルを受信する場合は入力端子４６から入力した信号から・・・、復調回路６８で映像及び音声信号に復調され、出力端子５０、４４を経て出力される。」と記載されているから、「ＢＳ・ＴＶ・ＣＡＴＶ共用チューナ４０」は「希望するチャネルを受信する場合は」、「入力端子４６から入力した信号から・・・、復調回路６８で映像及び音声信号に復調され」るということができ、いいかえると、「ＢＳ・ＴＶ・ＣＡＴＶ共用チューナ４０」は「希望するチャネルを受信する」ためのチューナということができる。
　すなわち、受信部Ａは「受信部Ａで希望するチャネルを受信するためのＢＳ・ＴＶ・ＣＡＴＶ共用チューナ４０」を有しているということができる。
　
（ウ）受信部Ｂについて
　受信部Ｂは受信部Ａと同じ構成を有しているのであるから、上記（イ）で検討したのと同様「受信部Ｂで希望するチャネルを受信するためのＢＳ・ＴＶ・ＣＡＴＶ共用チューナ４１」を有しているということができる。
　そして、（１１）の「受信部４には地上ＴＶ放送受信用アンテナ及びＣＡＴＶ信号入力端子１からの信号と、衛星放送受信用アンテナ２で受信され、アンテナに付属したダウンコンバータにより１ＧＨｚ帯に周波数変換されたいわゆる衛星放送の第１中間周波信号（ＢＳ−ＩＦ信号）が入力され、視聴者の希望に応じて入力部１５から入力された選局情報により制御部１４から出力される制御信号に応じて２つのプログラムが選択出力される。」の記載からみて、受信部４からは２つのプログラムが（同時に）選択出力されていることは明らかであり、上記２つのプログラムを（同時に）選択出力するためには、受信部４にある、受信部Ａと受信部Ｂとが、それぞれ、同時にプログラムを選択出力している必要があることは明らかである。
　したがって、「受信部Ｂで希望するチャネルを同時に受信するためのＢＳ・ＴＶ・ＣＡＴＶ共用チューナ４１」を有しているということができる。
　
（エ）記録・再生について
（エ−１）番組の記録について
　（１１）には「まず２つのプログラムを同時に記録する場合について説明する。受信部４には地上ＴＶ放送受信用アンテナ及びＣＡＴＶ信号入力端子１からの信号と、衛星放送受信用アンテナ２で受信され、アンテナに付属したダウンコンバータにより１ＧＨｚ帯に周波数変換されたいわゆる衛星放送の第１中間周波信号（ＢＳ−ＩＦ信号）が入力され、視聴者の希望に応じて入力部１５から入力された選局情報により制御部１４から出力される制御信号に応じて２つのプログラムが選択出力される。また選択部５ではこれらの信号に加え、信号入力端子３から入力される他のビデオ信号及び音声信号の内から視聴者の希望に応じて入力部１５から入力された選局情報により制御部１４から出力される制御信号に応じて２つのプログラムが選択出力される。その各々を記録部６、７に入力し、機構系８、９で装着され、走行する２つの記録媒体に各々の記録部で記録させていく。」と記載されている。
　上記実施例において、選択部５で「信号入力端子３から入力される他のビデオ信号及び音声信号」を選択しないことも当然考慮され、この場合、選択部５からは、結局、受信部４から出力される２つのプログラム信号が出力されることになる。
　受信部４から出力される２つのプログラムは、受信部４が有する２つの出力端子（４４、４５）から出力される、２つのプログラムであることは、明らかである。
　そして、選択部５から出力される２つのプログラムは、その各々を記録部６、７に入力し、機構系８、９で装着され、走行する２つの記録媒体に記録される。
　これらのことから、受信部４が有する２つの出力端子（４４、４５）から出力される２つのプログラム信号は、上記出力端子に対応した記録部６、７により、対応する２つの記録媒体にそれぞれ記録される、すなわち、受信部４が有する２つの出力端子（４４、４５）から出力される２つのプログラム信号を、対応する２つの記録媒体にそれぞれ記録しているということができる。
　受信部４が有する２つの出力端子（４４、４５）から出力される２つのプログラム信号は、上記（ア）ないし（ウ）で検討したとおり、受信部Ａおよび受信部Ｂから出力される２つのプログラム信号であることは明らかであり、受信部Ａおよび受信部Ｂは、それぞれ、「ＢＳ・ＴＶ・ＣＡＴＶ共用チューナ（４０、４１）」を有しているから、上記受信部４が有する２つの出力端子（４４、４５）から出力される２つのプログラム信号は「ＢＳ・ＴＶ・ＣＡＴＶ共用チューナ（４０、４１）」によって受信された、受信部Ａ（の出力端子４４）および受信部Ｂ（の出力端子４５）から出力される信号といえる。
　したがって、刊行物１の記録再生装置は「ＢＳ・ＴＶ・ＣＡＴＶ共用チューナ（４０、４１）によって受信された、受信部Ａ（の出力端子４４）および受信部Ｂ（の出力端子４５）から出力される２つのプログラム信号を、対応する２つの記録媒体にそれぞれ記録している」ということができる。
　
（エ−２）プログラムの再生について
　（１１）には「次に２つのプログラムを同時に再生する場合について説明する。機構系８、９で装着され、走行する２つの記録媒体から各々の再生部で信号を再生し、出力制御部１２へ入力する。ここでは視聴者の希望に応じて入力部１５から入力された出力情報により制御部１４から出力される制御信号に応じて画像、音声信号を出力する。」と記載され、
　また、（１２）には「さらに、記録と再生を同時に行う場合について説明する。選択部５で、視聴者の希望に応じて入力部１５から入力された選局情報により制御部１４から出力される制御信号に応じて、入力信号の内所望の１プログラムを選択する。選択された信号は例えば記録部６に入力し、機構系８で装着され、走行する記録媒体に記録部で記録させていく。一方同時に機構系９で装着され、走行する記録媒体から再生部１１で信号を再生し、出力制御部１２へ入力し、視聴者の希望に応じて入力部１５から入力された出力情報により制御部１４から出力される制御信号に応じて画像、音声信号を出力する。」と記載されている。
　このことから、機構系で装着され、走行する記録媒体から、再生部で信号を再生するように構成されているということができる。
　２つの記録媒体に記録された信号は、「ＢＳ・ＴＶ・ＣＡＴＶ共用チューナ（４０、４１）によって受信された、受信部Ａおよび受信部Ｂから出力される（２つの）プログラム信号」を含むことは、上記（エ−１）で検討したとおりである。
　そして、再生するためには、再生するよりも前に記録しておくことが普通であるから、再生するプログラムは以前に記録されたプログラムであることが普通である。
　以上のことから、刊行物１の記録再生装置は、「以前に記録された、ＢＳ・ＴＶ・ＣＡＴＶ共用チューナ（４０、４１）によって受信された、受信部Ａおよび受信部Ｂから出力されるプログラム信号を再生する」ということができる。
　
（エ−３）記録部、機構系、再生部
　上記（エ−１）、（エ−２）で検討したように、記録部（６、７）で機構系（８、９）に装着された記録媒体にプログラムを記録し、再生部（１０、１１）で機構系（８、９）に装着された記録媒体から信号を再生するのであるから、上記「記録部」、「機構系」、「再生部」の一連の構成を総称して、記録再生部と呼んでもよいことは明らかである。
　なお、以下では、上記記録再生部のうち、「記録部６、機構系８、再生部１０」の一連の構成を記録再生部Ａと呼び、「記録部７、機構系９、再生部１１」の一連の構成を記録再生部Ｂと呼ぶことがある。
　
（エ−４）記録されるプログラムと再生するプログラムとの関係について
　刊行物１に記載された、記録再生部において、記録再生部Ａ、または記録再生部Ｂはそれぞれ、機構系が一つしか無く、（１２）には「さらに、記録と再生を同時に行う場合について説明する。選択部５で、視聴者の希望に応じて入力部１５から入力された選局情報により制御部１４から出力される制御信号に応じて、入力信号の内所望の１プログラムを選択する。選択された信号は例えば記録部６に入力し、機構系８で装着され、走行する記録媒体に記録部で記録させていく。一方同時に機構系９で装着され、走行する記録媒体から再生部１１で信号を再生し、出力制御部１２へ入力し、視聴者の希望に応じて入力部１５から入力された出力情報により制御部１４から出力される制御信号に応じて画像、音声信号を出力する。」とあるから、刊行物１に記載された記録再生装置は、一方の記録再生部（例えば、記録再生部Ａ）のみで記録と再生が同時に行われるのではなく、一方の記録再生部（例えば、記録再生部Ａ）で記録が行われているとき、これと独立して動作する他方の記録再生部（記録再生部Ｂ）が再生を行うことにより、記録と再生を同時に実現しているということができる。
　したがって、（１１）に記載された「まず２つのプログラムを同時に記録する場合について説明する。受信部４には地上ＴＶ放送受信用アンテナ及びＣＡＴＶ信号入力端子１からの信号と、衛星放送受信用アンテナ２で受信され、アンテナに付属したダウンコンバータにより１ＧＨｚ帯に周波数変換されたいわゆる衛星放送の第１中間周波信号（ＢＳ−ＩＦ信号）が入力され、視聴者の希望に応じて入力部１５から入力された選局情報により制御部１４から出力される制御信号に応じて２つのプログラムが選択出力される。また選択部５ではこれらの信号に加え、信号入力端子３から入力される他のビデオ信号及び音声信号の内から視聴者の希望に応じて入力部１５から入力された選局情報により制御部１４から出力される制御信号に応じて２つのプログラムが選択出力される。その各々を記録部６、７に入力し、機構系８、９で装着され、走行する２つの記録媒体に各々の記録部で記録させていく。」と記載された実施例では、２つのプログラムが同時に記録されているが、このときは、記録再生部Ａおよび記録再生部Ｂが同時に記録動作を行っており、記録再生部はこれ以上の動作を行うことができないから、再生を行うことができない状態であると認めることができる。
　すなわち、２つのプログラムを記録すると同時に再生も行うことは、刊行物１には記載されていないというべきである。
　また、上記のとおり、記録再生部Ａおよび記録再生部Ｂは記録を行っているときは記録のみが可能で、再生を行っているときは再生のみが可能であると認めることができるから、記録再生部ＡまたはＢが再生を行っているプログラムは、（再生を行っているとき）受信部４から記録再生部に入力されるプログラムとは関係のない（すなわち独立した）プログラムであることは明らかである。
　
（エ−５）まとめ（（エ−１）ないし（エ−４））
　上記（エ−１）ないし（エ−４）によると、刊行物１に記載された記録再生装置は、
「ＢＳ・ＴＶ・ＣＡＴＶ共用チューナ（４０、４１）によって受信された、受信部Ａ（の出力端子４４）および受信部Ｂ（の出力端子４５）から出力される２つのプログラム信号を、対応する２つの記録媒体にそれぞれ記録し、
以前に記録された、ＢＳ・ＴＶ・ＣＡＴＶ共用チューナ（４０、４１）によって受信された、受信部Ａおよび受信部Ｂから出力されるプログラム信号を再生する
記録再生部を有し、
再生を行っているプログラムは、（再生を行っているとき）受信部４から記録再生部に入力されるプログラムとは関係のない（すなわち独立した）プログラムである、
記録再生装置」ということができる。
　
（オ）まとめ
　上記（ア）ないし（エ）によると刊行物１に記載された発明（以下「刊行物１発明Ｂ」という）として、以下のとおりのものを認定することができる。
　
地上ＴＶ放送受信用アンテナ及びＣＡＴＶ信号入力端子からの信号を、ＢＳ・ＴＶ・ＣＡＴＶ共用チューナ４０およびＢＳ・ＴＶ・ＣＡＴＶ共用チューナ４１のそれぞれで映像及び音声信号に復調し、上記それぞれ復調した信号を、ＢＳ・ＴＶ・ＣＡＴＶ共用チューナ４０に接続された出力端子（４４）、およびＢＳ・ＴＶ・ＣＡＴＶ共用チューナ４１に接続された出力端子（４５）から出力することにより、２つのプログラムが選択出力される受信部４を有する記録再生装置であって、
受信部Ａで希望するチャネルを受信するためのＢＳ・ＴＶ・ＣＡＴＶ共用チューナ４０と
受信部Ｂで希望するチャネルを同時に受信するためのＢＳ・ＴＶ・ＣＡＴＶ共用チューナ４１と、
ＢＳ・ＴＶ・ＣＡＴＶ共用チューナ（４０、４１）によって受信された、受信部Ａ（の出力端子４４）および受信部Ｂ（の出力端子４５）から出力される２つのプログラム信号を、対応する２つの記録媒体にそれぞれ記録し、
以前に記録された、ＢＳ・ＴＶ・ＣＡＴＶ共用チューナ（４０、４１）によって受信された、受信部Ａおよび受信部Ｂから出力されるプログラム信号を再生する
記録再生部を有し、
再生を行っているプログラムは、（再生を行っているとき）受信部４から記録再生部に入力されるプログラムとは関係のない（すなわち独立した）プログラムである、
記録再生装置。
　
７−２．対比
（ア）「複数の（データ）チャンネルでテレビ番組を表わす信号を受信するための受信機」について
　本願発明の「複数の（データ）チャンネル」は、発明の詳細な説明を参酌すると、ハードディスク１３が有する３つのデータチャンネル（３つの経路）であるということができる。
　そして、段落００４９には「ＨＤＲ３を、チャンネル５４および５５を通して受信した２つの同時のテレビ番組を録画するように動作すれば、・・・異なるチャンネル中の、第１および第２のチューナー１０ａ，１０ｂが受信した同時の／重なるテレビ番組を録画することが可能である。」とあるから、受信に係る（データ）チャンネル（経路）は、（データ）チャンネル５４、（データ）チャンネル５５であり、本願発明の「複数の（データ）チャンネルでテレビ番組を表わす信号を受信するための受信機」における、複数の（データ）チャンネルは（データ）チャンネル５４および（データ）チャンネル５５であると認めることができる。
　そして、データチャンネル５４、５５を通して録画する受信した信号は、第１および第２のチューナで受信した信号であることは明らかであるから、複数の（データ）チャンネル（（データ）チャンネル５４、および（データ）チャンネル５５）を通して、テレビ番組を表わす信号を録画することができるような受信するための構成（第１のチューナ、第２のチューナ）を有している受信機のことを、「複数の（データ）チャンネルでテレビ番組を表わす信号を受信するための受信機」と称していると認めることができる。
　これに対して、刊行物１発明Ｂにおける「記録再生装置」は、「地上ＴＶ放送受信用アンテナ及びＣＡＴＶ信号入力端子からの信号を、ＢＳ・ＴＶ・ＣＡＴＶ共用チューナ４０およびＢＳ・ＴＶ・ＣＡＴＶ共用チューナ４１」で受信しているから、受信機であるということができる。
　また、刊行物１発明Ｂの（２つの）プログラムは（２つの）番組といってもよいことは、刊行物１の、例えば「地上ＴＶ放送あるいはＣＡＴＶ放送のプログラム・・・衛星放送のプログラムをテレビジョン受像機等に表示」（段落０００８）等の記載から明らかであり、刊行物１発明のプログラム信号は、番組信号（すなわち番組を表す信号）といえる。
　そして、刊行物１発明Ｂは、
「地上ＴＶ放送受信用アンテナ及びＣＡＴＶ信号入力端子からの信号を、ＢＳ・ＴＶ・ＣＡＴＶ共用チューナ４０およびＢＳ・ＴＶ・ＣＡＴＶ共用チューナ４１のそれぞれで映像及び音声信号に復調し、上記それぞれ復調した信号を、ＢＳ・ＴＶ・ＣＡＴＶ共用チューナ４０に接続された出力端子（４４）、およびＢＳ・ＴＶ・ＣＡＴＶ共用チューナ４１に接続された出力端子（４５）から出力することにより、２つのプログラムが選択出力される受信部４を有する記録再生装置であって」、
「ＢＳ・ＴＶ・ＣＡＴＶ共用チューナ（４０、４１）によって受信された、受信部Ａ（の出力端子４４）および受信部Ｂ（の出力端子４５）から出力される２つのプログラム信号を、対応する２つの記録媒体にそれぞれ記録し」
ているから、２つの記録媒体にそれぞれプログラム信号を記憶することができるように、出力端子（４４）から出力されるプログラム信号が記録される経路（すなわちチャンネル）と、
出力端子（４５）から出力されるプログラム信号が記録される経路（チャンネル）とを有しているといえ、
複数の経路（チャンネル）を有しているということができる。
　刊行物１発明Ｂの、出力端子４４を通してプログラム信号が記録される経路には、ＢＳ・ＴＶ・ＣＡＴＶ共用チューナ（４０）があるから、上記記録のために必要な受信のための構成を有しており、
同じく、刊行物１発明Ｂの、出力端子４５を通してプログラム信号が記録される経路には、ＢＳ・ＴＶ・ＣＡＴＶ共用チューナ（４１）があり、記録のために必要な受信のための構成を有しているといえる。
　以上まとめると、刊行物１発明Ｂは「複数の経路（チャンネル）を通して、テレビ番組を表す信号を記録するために必要な受信のための構成を有している受信機」ということができ、この点で本願発明と相違がない。
　
（イ）「第１の（データ）チャンネルで第１のテレビ番組を表わす信号を受信するための第１のチューナ」について
　上記（ア）で検討したとおり「出力端子４４を通してプログラム信号が記録される経路には、ＢＳ・ＴＶ・ＣＡＴＶ共用チューナ（４０）があるから、上記記録のために必要な受信のための構成を有し」ているといえる。
　上記「出力端子４４を通してプログラム信号が記録される経路」を、プログラム信号が記録される第１のチャンネルと呼び、また、ＢＳ・ＴＶ・ＣＡＴＶ共用チューナ（４０）を（上記第１のチャンネルにある）第１のチューナと、第１のチャンネルで記録されるプログラム信号を第１のプログラム信号と呼んでもよいことは明らかであるから、刊行物１発明Ｂは「第１のプログラム信号が記録される第１のチャンネルには、記録のために必要な受信のための構成である第１のチューナ（４０）を有し」ていると言い換えることができる。
　すなわち、刊行物１発明Ｂの、第１のチューナ（ＢＳ・ＴＶ・ＣＡＴＶ共用チューナ４０）は、第１のチャンネル（出力端子４４を通る経路）で、第１のプログラム信号を受信しているのであるから、「第１の（データ）チャンネルで第１のテレビ番組を表す信号を受信するための第１のチューナ」ということができ、この点で、本願発明と相違がない。
　
（ウ）「第２の（データ）チャンネルで第２のテレビ番組を表わす信号を同時に受信するための第２のチューナ」について
　刊行物１発明Ｂは「受信部Ｂで希望するチャネルを同時に受信するためのＢＳ・ＴＶ・ＣＡＴＶ共用チューナ４１」を有している。
　上記（イ）で検討したのと同様、「出力端子４５を通してプログラム信号が記録される経路には、ＢＳ・ＴＶ・ＣＡＴＶ共用チューナ（４１）があるから、上記記録のために必要な受信のための構成を有し」ているといえ、上記「出力端子４５を通してプログラム信号が記録される経路」を、プログラム信号が記録される第２のチャンネルと呼び、また、ＢＳ・ＴＶ・ＣＡＴＶ共用チューナ（４１）を（上記第２のチャンネルにある）第２のチューナと、第２のチャンネルで記録されるプログラム信号を第２のプログラム信号と呼んでもよいことは明らかである。
　そして、上記「第２のチューナ」と呼ぶことができる「ＢＳ・ＴＶ・ＣＡＴＶ共用チューナ（４１）」は、「受信部Ｂで希望するチャネルを同時に受信するためのＢＳ・ＴＶ・ＣＡＴＶ共用チューナ４１」であるから、刊行物１発明Ｂは「第２の（データ）チャンネルで第２のテレビ番組を表す信号を同時に受信するための第２のチューナ」を有しているということができる。
　
（エ）「前記第１のチューナおよび前記第２のチューナによって受信される前記第１および第２の（データ）チャンネルの信号を表わすデータを記録し、同時に以前に記録された第３のテレビ番組を再生するように構成されるレコーダとを含み」について
（エ−１）「前記第１のチューナおよび前記第２のチューナによって受信される前記第１および第２の（データ）チャンネルの信号を表わすデータを記録し」について
　刊行物１発明Ｂは「ＢＳ・ＴＶ・ＣＡＴＶ共用チューナ（４０、４１）によって受信された、受信部Ａ（の出力端子４４）および受信部Ｂ（の出力端子４５）から出力される２つのプログラム信号を、対応する２つの記録媒体にそれぞれ記録し」ている。
　ＢＳ・ＴＶ・ＣＡＴＶ共用チューナ（４０、４１）は、それぞれ、第１のチューナ、第２のチューナと呼ぶことは上記（イ）、（ウ）にて検討したとおりである。
　そして、第１のチューナおよび第２のチューナよって受信される信号は、それぞれ、第１のチューナが第１のチャンネルにあり、第２のチューナが第２のチャンネルにあるから、第１のチャンネルの（プログラムの）信号、第２のチャンネルの（プログラムの）信号ということができる。
　したがって、刊行物１発明は「第１のチューナおよび第２のチューナによって受信された、第１および第２のチャンネルの（プログラム）信号を記録し」ているということができる。
　上記（プログラム）信号を記録するということは、（プログラム）信号をデータとして、記録していることが普通であるから、第１および第２のチャンネルの（プログラム）信号を表わすデータを記録しといえることは明らかである。
　以上まとめると、刊行物１発明は「第１のチューナおよび第２のチューナによって受信される、第１および第２のチャンネルの（プログラム）信号を表わすデータを記録し」ているといえる。
　
（エ−２）「以前に記録された第３のテレビ番組を再生するように構成されるレコーダとを含み」について
　刊行物１発明は「以前に記録された、ＢＳ・ＴＶ・ＣＡＴＶ共用チューナ（４０、４１）によって受信された、受信部Ａおよび受信部Ｂから出力されるプログラム信号を再生する記録再生部を有し」ている。
　前記「７−１．（エ）（エ−４）」にて検討したとおり、記録されるプログラム信号と再生するプログラム信号とは、関係のないプログラム信号であるから、前記（イ）、（ウ）にて定義した、記録に係るテレビ番組が、第１のテレビ番組および第２のテレビ番組であれば、再生にかかるテレビ番組は、上記第１および第２のテレビ番組と異なるものであることは明らかであるから、第３のテレビ番組ということができる。
　したがって、刊行物１発明は「以前に記録された、第３のテレビ番組を再生する記録再生部を有し」ているということができ、上記記録再生部をレコーダと称してもよいことは明らかであるから、刊行物１発明は「以前に記録された第３のテレビ番組を再生するように構成されるレコーダ」とを含んでいる点で、本願発明と相違がない。
　
（エ−３）「前記第１のチューナおよび前記第２のチューナによって受信される前記第１および第２のチャンネルの信号を表わすデータを記録し、
同時に
　本願発明の「同時に」とは
「前記第１のチューナおよび前記第２のチューナによって受信される前記第１および第２のチャンネルの信号を表わすデータを記録」と、
「以前に記録された第３のテレビ番組を再生」とが同時という意味であると認めることができる。
　すなわち、二つの記録と再生とが（三つの動作が）同時という意味であるといえる。
　これに対して、刊行物１発明Ｂの記録再生装置は、上記「７−１．（エ）（エ−４）」にて検討したとおり「２つのプログラムを記録すると同時に再生も行うことは、刊行物１には記載されていないというべきである。」から、本願発明がいう「（三つの動作が）同時」という技術事項を開示しているということができない。
　
（エ−４）まとめ（（エ−１）ないし（エ−３））
　以上（エ−１）ないし（エ−３）の検討事項をまとめると、
　本願発明と刊行物１発明Ｂとは「前記第１のチューナおよび前記第２のチューナによって受信される前記第１および第２のチャンネルの信号を表わすデータを記録し、以前に記録された第３のテレビ番組を再生するように構成されるレコーダとを含」む点で一致し、
　本願発明は「（前記第１のチューナおよび前記第２のチューナによって受信される前記第１および第２のチャンネルの信号を表わすデータを記録し、）
同時に
　
（オ）「前記第３のテレビ番組は、前記第１および第２のテレビ番組とは独立して前記レコーダから再生用に選択可能である」について
　刊行物１発明Ｂの再生を行っているプログラムは、第３のテレビ番組と呼べることは、上記（エ−２）で検討したとおりであり、刊行物１発明Ｂは「再生を行っているプログラムは、（再生を行っているとき）受信部４から記録再生部に入力されるプログラムとは関係のない（すなわち独立した）プログラムである」から、「第３のテレビ番組は、前記第１および第２のテレビ番組とは独立して前記レコーダから再生用に選択可能である」ということができる。
　
（カ）「受信機」について
　刊行物１発明Ｂの「記録再生装置」は、記録再生部を有するとともに、受信部も有しているから、受信機ともいうことができることは明らかである。
　したがって、刊行物１発明Ｂは「受信機」である点で、本願発明と相違がない。
　
７−３．一致点、相違点
　本願発明と刊行物１発明Ｂとの以上の対比によれば、本願発明と刊行物１発明Ｂとは、以下の一致点で一致し、相違点で相違する。
　
［一致点］
「複数のチャンネルでテレビ番組を表わす信号を受信するための受信機であって、
　第１のチャンネルで第１のテレビ番組を表わす信号を受信するための第１のチューナと、
　第２のチャンネルで第２のテレビ番組を表わす信号を同時に受信するための第２のチューナと、
　前記第１のチューナおよび前記第２のチューナによって受信される前記第１および第２のチャンネルの信号を表わすデータを記録し、以前に記録された第３のテレビ番組を再生するように構成されるレコーダとを含み、前記第３のテレビ番組は、前記第１および第２のテレビ番組とは独立して前記レコーダから再生用に選択可能である、受信機。」
　
［相違点］
　本願発明は「（前記第１のチューナおよび前記第２のチューナによって受信される前記第１および第２のチャンネルの信号を表わすデータを記録し、）
同時に
　
７−４．判断
　上記相違点について検討する。
　上記相違点は、結局本願発明の「チャンネル」が「テレビ放送の周波数」であったとして認定した、本願発明と刊行物１発明との相違点と同じであり、「記録再生装置において、複数の番組の記録を同時に行うことや、番組の記録と再生を同時に行うことを実現しようとしたとき、上記複数の番組の同時記録および、番組の同時記録再生を何らの制約無く行えるようにしようとすることは、当業者であれば普通に想起し得たことである」ことは、刊行物１発明Ｂにおいても、刊行物１発明と同様であり、「記録部、記録媒体、再生部」がそれぞれ一つであっても、記録と再生が同時に可能である記録再生部は、前記４．にて検討したとおり本願出願前周知の技術事項であり、刊行物１発明Ｂに触れた当業者であれば、刊行物１発明Ｂの記録再生部Ａおよび記録再生部Ｂに上記周知の構成を採用することにより、２つの番組の記録と２つの番組の再生とが同時に可能であることは、容易に予測し得たことである。
　したがって、刊行物１発明Ｂをみた当業者が、その記録再生部に、本願出願前周知の記録と再生が同時に可能である記録再生部を採用し、複数（二つの）番組の記録と再生とを自由に組み合わせて実現可能とすることにより、上記相違点の構成とすることは、容易になし得たことであるといえる。
　
第四　むすび
　以上のとおり、本願の請求項５に係る発明は、刊行物１に記載された発明及び周知技術に基づいて当業者が容易に発明をすることができたものであるから、特許法第２９条第２項の規定により特許を受けることができない。
　したがって、本願は、残る請求項１−４、６、７に係る発明について検討するまでもなく、拒絶をすべきものである。
　よって、結論のとおり審決する。